(57)【要約】      （修正有）【課題】怪我や高齢化のために足腰に障害がある人が、１人用浴槽から独力で立ち上がる動作を補助する浮き座椅子付浴槽を提供する。【解決手段】浴槽背部の壁から中央付近に達する側壁を前部の側壁よりも左右それぞれ約４０ミリメートル広くし、入浴者が座った時に肘が置ける高さに底に平行して横に長く、側壁後方の左右に広げた幅と長さに相当する約３０ミリメートルの厚さをもつ肘掛３を設置する。その下に背部の壁から１５０〜２００ミリメートル程度離れた左右の側壁に沿って、椅子の座板に使用する非固定式の浮板２をガイドし昇降状態を安定させるために凸型の昇降柱５を壁に密着させて設置する。肘の置ける高さに設置した肘掛は、浮板の過度の浮き上がりを防ぐストッパーを兼ね、非固定式の浮板に凹型の切り込み６を左右に入れ、左右の側壁に密着して立つ凸型の昇降柱５に差し込んで構成する。【選択図】図３
0003156773.tif 000002
【実用新案登録請求の範囲】
【請求項１】
一人用浴槽で入浴者が腰を下ろす位置に浮板を使用し、座ると浮板が体の重さで腰と共に下降し、立つ時は少し腰を上げるだけで浮板の浮力が腰を持ち上げて、浴槽から独力で立ち上がることの困難な足腰に障害がある人を補助する浮き座椅子付浴槽。
【請求項２】
浮板に代えて浮袋の浮力を利用し、浴槽から立ち上がろうとする足腰に障害がある人を補助する浮き座椅子付浴槽。
【考案の詳細な説明】
【技術分野】
【０００１】  本考案は浮板または浮袋の浮力を利用し、足腰に障害があるために一人用浴槽で立ち上がることが困難な人たちが、独力で立つのを補助する浮き座椅子付浴槽に関するものである。
【背景技術】
【０００２】足腰に障害のある人にとって、一人用の浴槽から独力で立ち上がるのは大変困難である。狭い浴槽の壁に体の動きが制限され、前向きに座った姿勢のままで膝の屈伸ができず、そのために足を踏ん張ることができないのが原因であり、左右の壁に阻まれて身体を反転させて膝をつくこともできず、握り棒につかまって腕の力で立ち上がろうとしても膝を屈伸させて足を踏ん張ることが出来ない限り、浴槽の底から腰を持ち上げることは健康な人でも困難であるが、腰の位置を２０センチメートル程度高くすれば足腰に障害がある人でも前向きの姿勢のままで膝を屈伸させることが容易になり、座った状態から立ち上がることができる。そのために多くの人たちは、通常は浴槽の外で使用する洗い場用の椅子や子供用の簡易椅子等を浴槽内に持ち込むなどの工夫をしているが、湯に浸かれるのはせいぜい腰までであって満足に入浴できる状態ではない。
【考案の開示】
【考案が解決しようとする課題】
【０００３】足腰に障害のある人が浴槽の底に座った状態から、膝を屈伸させる動作のできる高さまで浮板または浮袋の浮力を利用して腰を持ち上げ、立ち上がることを容易にする浮き座椅子付浴槽を造ることである。
【課題を解決するための手段】
【０００４】１．足腰に障害のある入浴者が浴槽内で腰を下ろす位置に、浮板を使用した座椅子を設置し、その浮力を利用する。
２．入浴者が立ち上がる時の姿勢を取りやすくするために、左右の浴槽壁に肘掛用の棚を造る。
３．肘掛用の棚の下に凸型の支柱を造り、浮板の両側面を切り込んだ凹型部分と組み合わせて浮板の昇降用軌道として使用する。
４．浮板に代えて浮袋をコンプレッサーに接続し、空気を入れると浮き上がり、空気を抜くと沈む構造にしてもよい。この場合、軟質素材による曲がりなどを原因とする昇降軌道支柱から外れる可能性を防ぐため、昇降軌道支柱と組み合わせる浮板凹部相当箇所を硬質素材で補強する必要がある。
【考案の効果】
【０００５】１．本考案の浮き座椅子付浴槽に適当量の湯を入れると、浮板は肘掛用の棚を限度として浮き上がり、入浴者が腰をかけると浮板は昇降軌道支柱に沿って腰と共に下降し、立ち上がる時は肘掛用の棚を利用して少し腰を上げる姿勢になるだけで腰が浮板の浮力によって押し上げられる結果、腰の位置が高くなって膝の曲げ伸ばしが容易になり独力で立ち上がることができる。
２．浮板に代えて浮袋を使用した本考案の浮き座椅子付浴槽では、空気を抜けば沈み、空気を入れると浮き上がって入浴者の立ち上がり動作を補助する。浮袋を使用した時は、立つ時のきっかけを作る少しだけ腰を上げる動作もいらないために、とくに介護用として有効である。
３．本考案の浮き座椅子付浴槽を利用すれば足腰が不自由な人でも、安心して浴槽の底まで腰を沈めて座ることが可能になり、肩まで湯につかることができる。
４．浮板が凸型の昇降軌道支柱に沿って上下することにより、不安定な揺れや腰から外れるなどの危険な状態を防ぎ、肘掛用の棚が浮板または浮袋の過度の浮き上がりや飛び出しを防ぐストッパーにもなるので安心して使用できる。
【考案を実施するための最良の形態】
【０００６】１．左右の浴槽側壁後方に凹型の切り込み部分を造り、切り込み部分に沿って底から約２５０ミリメートルの位置に幅４０ミリメートル程度の肘掛用の棚を造り、その下に背中の壁から１５０〜２００ミリメートル程度離れた位置に奥行き・幅とも３０ミリメートル、高さ約２５０ミリメートルの凸型支柱を立てて浮板の昇降軌道支柱とする。肘掛用の棚は、浮板または浮袋の過度の浮き上がりを防ぐストッパーにもなる。
２．浮板の両側面中央付近に凹型の切り込みを入れ、凸型の昇降軌道支柱と組み合わせる。浮板の切り込みは凸型支柱との間に過度の摩擦が起きない程度の隙間が必要である。
３．浮板の大きさは幅５００ミリメートル、奥行２５０ミリメートル、厚さ４０〜５０ミリメートル程度のもので、材質は有効な浮力があれば何でもよい。
４．浮板に代えて、浮袋を小型コンプレッサーと接続して使用してもよい。この場合、軟質素材による曲がりなどを原因とする昇降軌道支柱から外れる可能性を防ぐために、浮袋の浮板凹部相当箇所を硬質素材で補強する必要がある。
５．表示した寸法は、浴槽壁の傾斜角度等形状や素材によって多少変化する可能性があるために近似数で示している。
【実施例】
【０００７】以下の図面に従って説明する。
【図面の簡単な説明】
【０００８】
【図１】本考案の浮き座椅子付浴槽側壁の断面図で、浮板が肘掛用の棚の下まで浮き上がっている状態を示し、また浴槽内両側壁後部の切り込み凹部、肘掛用の棚、浮板昇降支柱の位置関係を示しており、斜線は浴槽両側壁の切り込んだ凹部を示している。
【図２】本考案の浮き座椅子付浴槽側壁の部分断面図で、浮板が底まで沈んだ状態を示し、斜線は浴槽両側壁の切り込んだ部分を示している。
【図３】本考案の浮き座椅子付浴槽の平面図で、肘掛用の棚、浮板、浮板の両側面を切り込んだ凹型部分、浮板昇降支柱の位置を示している。
【図４】本考案の浮き座椅子付浴槽の部分平面図で、肘掛用の棚の下に設置する凸型の浮板昇降支柱と浮板凹部の組み合わせを示している。
【図５】本考案の浮き座椅子付浴槽の浮板または浮袋を装着する前の立体図で浴槽全体の形状を示し、斜線は側壁を凹型に切り込んだ部分を示している。
【符号の説明】
【０００９】１．浴槽外枠
２．浮板
３．肘掛用の棚
４．浴槽側壁の切り込み凹部
５．浮板昇降軌道支柱
６．浮板の凹型切り込み部分
【図１】
0003156773.tif 000003
【図２】
0003156773.tif 000004
【図３】
0003156773.tif 000005
【図４】
0003156773.tif 000006
【図５】
0003156773.tif 000007
【手続補正書】
【提出日】平成21年5月13日(2009.5.13)
【手続補正２】
【補正対象書類名】実用新案登録請求の範囲
【補正対象項目名】全文
【補正方法】変更
【補正の内容】
【実用新案登録請求の範囲】
【請求項１】
一人用浴槽の後方に、入浴者が座ると下降し、立つ時は少し腰を上げるだけで浮力が作用して臀部を押し上げる浮板を使用した座椅子を設置し、更に浴槽の両側壁に浮板の昇降をガイドし、かつ安定させるために造った凹凸成形部分と組み合わせ、また浮板の過度の浮き上がりを防ぐストッパー兼用の肘掛を設置した浮き座椅子付浴槽。
【請求項２】
浮板に代えて浮袋を小型コンプレッサーと組み合わせ、空気を入れると浮き上がり、空気を抜くと沈む特徴を利用し、浴槽の側壁に接する浮袋の縁を硬質素材で補強して浮板と同様に昇降をガイドする側壁の凹凸部分と組み合わせる浮き座椅子付浴槽。
【手続補正書】
【提出日】平成21年7月21日(2009.7.21)
【手続補正１】
【補正対象書類名】実用新案登録請求の範囲
【補正対象項目名】全文
【補正方法】変更
【補正の内容】
【実用新案登録請求の範囲】
【請求項１】
怪我や高齢化のために足腰に障害がある人が、一人用浴槽から独力で立ち上がる動作を補助する浮き座椅子付浴槽で、浴槽背部の壁から中央付近に達する側壁を前部の側壁よりも左右それぞれ約４０ミリメートル広くし、入浴者が座った時に肘が置ける高さに底に平行して横に長く、側壁後方の左右に広げた幅と長さに相当する約３０ミリメートルの厚さをもつ肘掛を設置または成型し、その下に背部の壁から１５０〜２００ミリメートル程度離れた左右の側壁に沿って椅子の座板に使用する非固定式の浮板をガイドし、昇降状態を安定させるために凸型の昇降柱を壁に密着させて設置または成型する。肘の置ける高さに設置または成型した肘掛は、浮板の過度の浮き上がりを防ぐストッパーを兼ねる。非固定式の浮板は凹型の切り込みを左右に入れ、左右の側壁に密着して立つ凸型の昇降柱に差し込んで入浴者が座ると安定して下降し、立つ時は肘掛に乗せた肘を利用して腰を少し上げる姿勢になるだけで浮板の浮力が膝を曲がり易く、力が入り易い高さである肘掛を設置した高さ付近まで腰を押し上げて立ち上がり動作を補助する座板に浮板を使った浮き座椅子付浴槽。
【請求項２】
請求項１の一人用浴槽後方の側壁を左右に広げてストッパー兼用の肘掛を設置し、その下に浮板を安定してガイドする凸型の昇降柱を設置した請求項１と同じ構造の浴槽を使用し、請求項１で使用した浮板の代りにゴム等軟質素材製の浮袋を椅子の座板として使用する。浮袋は小型コンプレッサーと接続して入浴者が座る時は空気を抜いて下降させ、立ち上がる時は空気を入れて浮上させるので重度の障害者でも使用することができる。軟質素材の浮袋は縁が柔らかく昇降支柱から外れ易いために硬質素材を使って側壁に接する縁を補強し、補強した硬質素材の左右に請求項１で使用する浮板と同様に凹型の切り込みを造って側壁両側の凸型昇降柱に差し込んで組み合わせ、浮袋の昇降状態を安定させて入浴者の立ち上がり動作を補助する請求項１と同じ特徴をもつ座板に浮袋を使った浮き座椅子付浴槽。
【手続補正書】
【提出日】平成21年10月20日(2009.10.20)
【手続補正１】
【補正対象書類名】実用新案登録請求の範囲
【補正対象項目名】全文
【補正方法】変更
【補正の内容】
【実用新案登録請求の範囲】
【請求項１】
怪我や高齢化のために足腰に障害がある人が、一人用浴槽から独力で立ち上がる動作を補助する浮き座椅子付浴槽で、浴槽背部の壁から中央付近に達する側壁を前部の側壁よりも左右それぞれ約４０ミリメートル広くし、入浴者が座った時に肘が置ける高さに底に平行して横に長く、側壁後方の左右に広げた幅と長さに相当する約３０ミリメートルの厚さをもつ肘掛を設置または成型し、その下に背部の壁から１５０〜２００ミリメートル程度離れた左右の側壁に沿って、椅子の座板に使用する非固定式の浮板をガイドし昇降状態を安定させるために凸型の昇降柱を壁に密着させて設置または成型し、肘の置ける高さに設置または成型した肘掛は、浮板の過度の浮き上がりを防ぐストッパーを兼ね、非固定式の浮板に凹型の切り込みを左右に入れ、左右の側壁に密着して立つ凸型の昇降柱に差し込んで入浴者が座ると安定して下降し、立つ時は肘掛に乗せた肘を利用して腰を少し上げる姿勢になるだけで浮板の浮力が膝を曲がり易く、力が入り易い高さである肘掛を設置した高さ付近まで腰を押し上げて立ち上がり動作を補助する座板に浮板を使った浮き座椅子付浴槽。